(57)【要約】【課題】水中ポンプの運転時に、長期にわたって砂礫や汚泥等の異物が水中ポンプに浸入することを防止し、一定時間が経過しストレーナが目詰まりを起こし、水中ポンプの吸い込み能力が低下しても水中モータの焼損を未然に防止することができる深井戸水中ポンプを提供する。【解決手段】本発明の深井戸水中ポンプ１は、上記揚水管２４と上記ストレーナＳを備えた吸込口２０と、上記水中ポンプ２２と上記水中モータとの外周全域を覆う金網体３０と、上記金網体の下端開口部３０Ｂに設けて金網体の目詰まり時に筒内の負圧により開口して水中ポンプへ給水Ｗする安全装置４０と、を備えたものである。【選択図】  図１
2015096702.tif 000002
【特許請求の範囲】
【請求項１】
掘削された深井戸内に挿入配置され、下端部から水中モータとストレーナを備えた吸込口と水中ポンプと揚水管とを一直線状に連結してなる深井戸水中ポンプにおいて、上記吸込口と上記水中ポンプと上記水中モータとの外周全体を覆う金網体と、上記金網体の一部に設けられ目詰まり発生時に金網体内の負圧により金網体の一部に開口部を形成する安全装置と、を具備したことを特徴とする深井戸水中ポンプ。
【請求項２】
上記安全装置は、上記金網体の開口部に設けられた受座部と、上記受座部に接近離反自在に取り付けられ受座部に着座して開口部を閉塞するとともに上記金網体の目詰まり発生時に金網体内の負圧により離反して開口部を開放する弁体とからなることを特徴とする請求項１記載の深井戸水中ポンプ。
【請求項３】
上記安全装置には、上記弁体の離反で突き出される検知棒と、検知棒の突き出しを検出するセンサを備えたことを特徴とする請求項１又は２記載の深井戸水中ポンプ。
【請求項４】
上記センサは、検知棒に設けた可動接点と２つの固定接点からなる有接点スイッチとしたことを特徴とする請求項３記載の深井戸水中ポンプ。
【請求項５】
上記センサは、検知棒に設けた可動マグネットと近接スイッチとからなることを特徴とする請求項３記載の深井戸水中ポンプ。
【請求項６】
上記センサの閉路信号により上記水中モータの駆動を遮断して水中モータを停止し、または警報回路を閉路して目詰まりを告知するように構成したことを特徴とする請求項３〜５のいずれかに記載の深井戸水中ポンプ。
【請求項７】
上記金網体は、筒体を上記水中ポンプと上記揚水管との接続フランジに吊設するとともに該筒体の壁面に小孔が開けられ、更に該外周面に金網を巻き掛けたものであることを特徴とする請求項１〜６のいずれかに記載の深井戸水中ポンプ。
【請求項８】
上記筒体の小孔は孔径が８〜１２ｍｍであり、上記金網は目数が４０〜８０メッシュとしたことを特徴とする請求項７記載の深井戸水中ポンプ。
【発明の詳細な説明】
【技術分野】
【０００１】
本発明は、深井戸水中ポンプに係り、特に、深井戸水中ポンプの運転中長期間にわたる目詰まりの防止、目詰まり発生時の水中ポンプの吸い込み能力低下による水中モータの焼損の未然防止、目詰まり発生を使用者に告知することができるようにしたものに関する。
【背景技術】
【０００２】
深井戸水中ポンプは、細く掘削した細い井戸穴にも設置できるように全体の形を細長く、且つ、小型化した多段タービン方式の水中ポンプである。この水中ポンプの特徴は、油を使用しない水潤滑構造で清潔な水を汲み上げられる点にある。図８に示すように、深井戸水中ポンプ１は、深井戸内に埋設されたパイプ３内に挿入設置するべく、下端部から水中モータ５とストレーナ７を備えた吸込口９Ａと水中ポンプ９と揚水管１１とを一直線状に連結し、上記揚水管１１の上端部を地上の吐出管１３に接続させた構成からなる。
【０００３】
地上の吐出管１３には、操作盤Ｐ、空気弁１３Ａ、連成計１３Ｂ、逆止弁１３Ｃ、仕切弁１３Ｄ等を備えている。尚、水中モータ１５には、揚水管１１の外周壁に沿って配置したケーブルＫが操作盤Ｐから繋がれており、この操作盤Ｐにより水中モータ１５の起動と停止操作が行われる。
【０００４】
上記深井戸水中ポンプにおいては、長時間運転しても目詰まりし難いことが重要であり、その構成例としては次のようなものがある。まず、深井戸を掘削することにより、地表及び浅部の湧水層の汚水が混入しない深部の帯水層からの採水が行われているが、ストレーナ内へ地層からの砂が浸入し、またストレーナに巻かれたフィルタの目詰まりも多かったので、これを解決する深井戸用ストレーナスクリーンが提供されている。
【０００５】
その構成は、 深井戸に使用される保護管のストレーナ外周に平織の織布が少なくとも１回巻かれ、貼り付けられたものであり、この織布は、厚さが約２ｍｍ以下で、かつ、連続繊維の硝子繊維または合成繊維でできた、よりのかからないかわずかによった糸が縦、横２５ｍｍ当り１５〜６０本配設されているものである（例えば、特許文献１参照。）。
【０００６】
また、別の深井戸用ポンプは、砂礫等のフィルタ材を投入充填することなくストレーナパイプの外周と深井戸の孔壁面との間の空隙を保持し、効率的かつ安定した地下水の排水作業を容易に行なえる深井戸排水用ストレーナパイプである。このストレーナパイプは、地盤に掘削形成された深井戸内に流入する地下水を排水するために、深井戸内に挿入されるものであり、地下水流入口を有する例えば鋼管等からなるパイプ本体と、このパイプ本体の外周に配設される高分子素材等からなる線状部材を交絡して形成した周囲の土圧に耐え得る強度を有する硬質通水マットとにより構成したものである（例えば、特許文献２参照。）。
【先行技術文献】
【特許文献】
【０００７】
【特許文献１】特開平１１−７１７９０号公報
【特許文献２】特開平７−２７９５７２号公報
【発明の概要】
【発明が解決しようとする課題】
【０００８】
従来の深井戸水中ポンプは、水中モータとストレーナを備えた吸込口と水中ポンプと揚水管とを一直線状に連結したものであるから、ストレーナは砂礫の処理能力に劣るため、環境の悪い深井戸では短時間の内に目詰まりしてしまうという問題があった。
【０００９】
また、特開平１１−７１７９０号公報の深井戸排水用ストレーナパイプは、保護管のストレーナ外周に平織の織布が巻かれたものであるから、水に混入した砂礫等の塵埃物を除去する能力に優れているものの、ストレーナ外周の平織の織布には、砂礫等の塵埃物が堆積して水の通過性を徐々に低下させてしまう。これを放置したまま運転を続けると、水中ポンプの吸い込み能力低下により発生する水中モータの焼損事故を起こすという問題があった。
【００１０】
また、特開平７−２７９５７２号公報の深井戸用ストレーナスクリーンについても、ストレーナスクリーンに、砂礫等の塵埃物が堆積して水の通過性を徐々に低下させる。これを放置したまま運転を続けると、水中ポンプの吸い込み能力低下により発生する水中モータの焼損事故を起こすという問題があった。
【００１１】
本発明はこのような点に基づいてなされたものでその目的とするところは、水中ポンプの運転時に、長期にわたって砂礫や汚泥等の異物が水中ポンプに浸入することを防止し、一定時間が経過しストレーナが目詰まりを起こし、水中ポンプの吸い込み能力が低下しても、水中モータの焼損を未然に防止することができる深井戸水中ポンプを提供することにある。
【課題を解決するための手段】
【００１２】
上記目的を達成するべく本発明の請求項１の深井戸水中ポンプは、掘削された深井戸内に挿入配置され、下端部から水中モータとストレーナを備えた吸込口と水中ポンプと揚水管とを一直線状に連結してなる深井戸水中ポンプにおいて、上記吸込口と上記水中ポンプと上記水中モータとの外周全体を覆う金網体と、上記金網体の一部に設けられ目詰まり発生時に金網体内の負圧により金網体の一部に開口部を形成する安全装置と、を具備したことを特徴とするものである。
【００１３】
また、本発明の請求項２の深井戸水中ポンプは、請求項１記載の深井戸水中ポンプにおいて、上記安全装置は、上記金網体の開口部に設けられた受座部と、上記受座部に接近離反自在に取り付けられ受座部に着座して開口部を閉塞するとともに上記金網体の目詰まり発生時に金網体内の負圧により離反して開口部を開放する弁体とからなることを特徴とするものである。
【００１４】
また、本発明の請求項３の深井戸水中ポンプは、請求項１又は２記載の深井戸水中ポンプにおいて、上記安全装置には、上記弁体の離反で突き出される検知棒と、検知棒の突き出しを検出するセンサを備えたことを特徴とするものである。
【００１５】
また、本発明の請求項４の深井戸水中ポンプは、請求項３記載の深井戸水中ポンプにおいて、上記センサは、検知棒に設けた可動接点と２つの固定接点からなる有接点スイッチとしたことを特徴とするものである。
【００１６】
また、本発明の請求項５の深井戸水中ポンプは、請求項３記載の深井戸水中ポンプにおいて、上記センサは、検知棒に設けた可動マグネットと近接スイッチとからなることを特徴とするものである。
【００１７】
また、本発明の請求項６の深井戸水中ポンプは、請求項３〜５のいずれかに記載の深井戸水中ポンプにおいて、上記センサの閉路信号により上記水中モータの駆動を遮断して水中モータを停止し、または警報回路を閉路して目詰まりを告知するように構成したことを特徴とするものである。
【００１８】
また、本発明の請求項７の深井戸水中ポンプは、請求項１〜６のいずれかに記載の深井戸水中ポンプにおいて、上記金網体は、筒体を上記水中ポンプと上記揚水管との接続フランジに吊設するとともに該筒体の壁面に小孔が開けられ、更に該外周面に金網を巻き掛けたものであることを特徴とするものである。
【００１９】
また、本発明の請求項８の深井戸水中ポンプは、請求項１〜７のいずれかに記載の深井戸水中ポンプにおいて、上記筒体の小孔は孔径が８〜１２ｍｍであり、上記金網は目数が４０〜８０メッシュとしたことを特徴とするものである。
【発明の効果】
【００２０】
上記請求項１記載の深井戸水中ポンプによると、掘削された深井戸内に挿入配置され、下端部から水中モータとストレーナを備えた吸込口と水中ポンプと揚水管とを一直線状に連結してなる深井戸水中ポンプにおいて、上記吸込口と上記水中ポンプと上記水中モータとの外周全体を覆う金網体と、上記金網体の一部に設けられ目詰まり発生時に金網体内の負圧により金網体の一部に開口部を形成する安全装置と、を備えているため、深井戸水中ポンプの運転時に、砂礫や汚泥等の異物吸い込みを防止でき、長期にわたって健全性を維持することができる。また、金網体が目詰まりを起こし、水中ポンプの吸い込み能力が低下すると安全装置が作動し開口部が開口して水が供給され水中モータの焼損を未然に防止することができる。
【００２１】
また、上記安全装置を、上記金網体の開口部に設けられた受座部と、上記受座部に接近離反自在に取り付けられ受座部に着座して開口部を閉塞するとともに上記金網体の目詰まり発生時に金網体の負圧により離反して開口部を開放する弁体とからなるものとした場合には、動作が水流の抵抗を受けることなく確実にでき、緊急時にも水中モータを冷却しつつ水中ポンプに水を供給できる。
【００２２】
また、上記安全装置に上記弁体の離反で突き出される検知棒と、検知棒の突き出しを検出するセンサを備えている構成とした場合には、目詰まりを確実に感知することができる。
【００２３】
また、上記センサを検知棒に設けた可動接点と２つの固定接点からなる有接点スイッチとしたものである場合には、水中において弁体の離反を確実に感知することができる。
【００２４】
また、センサを検知棒に設けた可動マグネットと近接スイッチとからなるものとした場合には、水中において弁体の離反を確実に感知することができる。
【００２５】
また、上記センサの閉路信号により上記水中モータの駆動を遮断して水中モータを停止し、または警報回路を閉路して目詰まりを告知するように構成した場合には、センサの閉路信号に基づいて水中モータの電気駆動回路を遮断して水中モータを緊急停止させたり、警報等により目詰まりの発生をいち早く知らせることが可能となる。
【００２６】
また、上記金網体を、筒体を上記水中ポンプと上記揚水管との接続フランジに吊設するとともに該筒体の壁面に小孔が開けられ、更に該外周面に金網を巻き掛けたものとした場合には、目詰まりを起こしにくい構造であり、長期にわたって使用できるとともに、一旦目詰まりを起こした時は、地上に引き揚げて高圧水洗浄等により簡単に洗浄作業ができ、直ぐに再使用することができる。
【００２７】
また、上記筒体の小孔は孔径が８〜１２ｍｍであり、上記金網は目数が４０〜８０メッシュである場合には、効率の良い砂礫等の捕捉作業ができ、除去作業も容易にできる。
【図面の簡単な説明】
【００２８】
【図１】本発明の第１の実施の形態を示す図で、深井戸水中ポンプの断面図である。
【図２】本発明の第１の実施の形態を示す図で、深井戸水中ポンプの要部の断面図とその詳細図である。
【図３】本発明の第１の実施の形態を示す図で、深井戸水中ポンプの要部の断面図とその詳細図である。
【図４】本発明の第１の実施の形態を示す図で、センサの断面図である。
【図５】本発明の第１の実施の形態を示す図で、センサの作用断面図である。
【図６】本発明の第２の実施の形態を示す図で、センサの断面図である。
【図７】本発明の第１の実施の形態を示す図で、水中モータの電気制御部のブロック線図である。
【図８】従来の技術を示す図で、深井戸水中ポンプの断面図である。
【発明を実施するための形態】
【００２９】
以下、図１〜図５及び図７を参照して本発明の第１の実施の形態を説明する。
本実施の形態による深井戸水中ポンプ１は、深井戸２内の掘削された壁面３内に挿入配置されるものであり、下端側から水中モータＭＯとストレーナＳを備えた吸込口２０と水中ポンプ２２と揚水管２４とを一直線状に連結させてなる。上記揚水管２４の上端部２４Ａは、接続フランジ２４Ｂを介して地上の吐出管２８に接続されている。上記吐出管２８には、操作盤Ｐ、空気弁１３Ａ、連成計１３Ｂ、逆止弁１３Ｃ、仕切弁１３Ｄ等が備えられている。上記ストレーナＳを備えた吸込口２０と上記水中ポンプ２２と上記水中モータＭＯとの外周全体は、金網体３０により覆われている。
【００３０】
上記金網体３０は、筒体３３と金網６０とにより構成されている。上記筒体３３は、頂端３３Ａに取付けた吊設フランジ３２により上記揚水管２４の下端部２４Ｃの接続フランジ２４Ｄに支持されている。また、上記金網体３０の下端開口部３０Ｂには、目詰まり時に筒内の負圧により開口して深井戸２内の水Ｗを水中ポンプ２２へ供給する安全装置４０を備えている。更に、上記安全装置４０には、上記金網体３０の目詰まりを検出するセンサ５０を備えている。
【００３１】
上記深井戸水中ポンプ１の構成を図２〜図７により更に詳細に説明する。上記金網体３０は、上記水中ポンプ２２と上記揚水管２４との接続フランジ２６Ｂに吊設されている。  具体的には、図２に示すように、先ず、水中ポンプ２２と揚水管２４とは、揚水管２４の下端部２４Ｃの接続フランジ２４Ｄと水中ポンプ２２の上端部２２Ａの接続フランジ２２Ｂとを中継フランジ２６を介して各通孔ｈ１に挿入した多数の締結ボルトＢ１とナットＮ１により締結固定されている。
【００３２】
また、上記金網体３０の筒体３３は、その頂端３３Ａを吊設フランジ３２に嵌着している。上記吊設フランジ３２の外周に開けた各通孔ｈ２を上記揚水管２４の下端部２４Ｃの接続フランジ２４Ｄに連結した中継フランジ２６の外周側に開けた各通孔ｈ２に合わせて挿入した複数本の締結ボルトＢ２とナットＮ２により締結固定されている。
上記吊設フランジ３２は、その内周径が上記接続フランジ２２Ｂの外周径よりも僅かに大きく設定されており、この隙間Ｘと上記中継フランジ２６の外周側に開けた通孔ｈ３とを利用し、上記センサ５０から引き出された配線Ｌを通し、地上に備えた操作盤Ｐに繋がれている。
【００３３】
上記金網体３０の筒体３３は、ステンレス製で円筒状をなし、その円筒壁面３３Ｃには、図３に示すように、多数の孔ｈ４、ｈ５が開けられている。具体的には、パンチングメタルが使用される。更に、筒体３３の円筒壁面３３Ｃの外周面には、ステンレス製の金網６０が巻き掛けて固定されている。上記金網６０の固定構造は、円筒壁面３３Ｃにビス孔Ｂ３を穿設し、円筒壁面３３Ｃの内壁面にナットＮ３を取り付け、この外周に巻かれた金網６０に開けた孔を利用し、固定バー６２を外側から押し当て、ボルトＢ４で固定バー６２を金網６０を挟んで筒体３３のビス孔Ｂ３及びナットＮ３に螺合して固定する。
【００３４】
尚、上記固定バー６２は、金網６０の円周上に複数個所設けてもよい。上記金網体３０の筒体３３のパンチングメタルの孔ｈ４、ｈ５は、孔径ｈ４を８〜１４ｍｍに設定されるのが好ましく本実施の形態では一例として１２ｍｍに設定されている。上記金網６０は、通水性を低下させることなく砂礫等の除去効果が得られる目数が４０〜８０メッシュのものを使用するのが好ましく、本実施の形態では一例として６０メッシュのものを使用している。
尚、金網体３０の断面形状は円形形状としたが、角形形状とするなど他の形状としても良い。
【００３５】
次に、上記安全装置４０について説明する。まず、上記金網体３０における筒体３３の下部に嵌めた短管４２の下端開口部内に円錐面４４Ａの内径部を持つ受座環４４が付設されている。該受座環４４の円錐面４４Ａに円錐形状の弁体４６の円錐面４６Ａが一例として自重で密着されている。上記弁体４６の上面４６Ｂには軸部４８が設けられており、該軸部４８は円筒支持体４９の軸受部４９Ａに昇降自在に支持されている。
【００３６】
上記軸受部４９Ａは、円筒支持体４９と該軸受部４９Ａとを繋ぐ十字状の連結部４９Ｂにより支持されている。上記円筒支持体４９は、筒体３３の内面に嵌められ、上記受座環４４と一体に形成されている。しかして、図４に示すように、上記弁体４６は、金網体３０の目詰まり時に金網体３０の筒体３３内の負圧により上昇して開口部を開口させ、深井戸２内の水Ｗを金網体３０内に流入させるように構成されている。
尚、上記受座部の円錐面４４Ａと円錐形状の弁体４６は角錐形状等、他の形状としても良い。
【００３７】
上記センサ５０は、図２と図４に示すように、上記金網体３０の目詰まり時に、金網体３０の筒体３３内の負圧により弁体４６が上昇して開口し、その上昇で突き上げられる検知棒５２，５２が、上記円筒支持体４９の軸受部４９Ａを支持する左右の連結部４９Ｂに開けた受座孔４９Ｃに垂直姿勢に支持されている。上記各検知棒５２，５２上部の連結部４９Ｂ上には、Ｔ字状の可動接点５４と２つの固定接点ａ，ｂからなる左右二組の防水型の有接点スイッチＬＳ，ＬＳが配置されている。上記有接点スイッチＬＳの２つの固定接点ａ，ｂは、２本の配線Ｌにより図７に示すように、水中モータの電気制御部７０に接続されている。
【００３８】
尚、上記センサは図６に示す第２の実施の形態としても良い。本実施の形態の場合は、センサ５６を検知棒５２，５２に設けた防水型の可動マグネットＭと近接スイッチＭＳにより構成したものである。
【００３９】
上記センサ５０，５６は、図１と図７に示すように、水中モータＭＯの操作盤Ｐ内に備える電気制御部７０に接続されている。その構成は、有接点スイッチＬＳ又は近接スイッチＭＳが開路時には、水中モータＭＯの駆動停止回路７２の操作が起動スイッチＳＳで自由に行われ、有接点スイッチＬＳ又は近接スイッチＭＳが閉路時には、センサの閉路信号Ｅにより上記水中モータＭＯの駆動停止回路７２を遮断して水中モータ停止指令Ｎ３を出すとともに、警報回路７４を閉路して異常信号Ａを発し、目詰まりの発生を使用者に告知するようになっている。
【００４０】
次に、本実施の形態による深井戸水中ポンプ１を使用した井戸水の汲み上げと金網体３０の作用について説明する。上記深井戸水中ポンプ１は、図１に示すように、掘削された深井戸２内の壁面３内に挿入配置される。この設置状態において、図１と図７に示すように、地上に備えた操作盤Ｐにより、水中モータＭＯの駆動停止回路７２を作動させ水中モータＭＯを回転駆動する。これにより、水中ポンプ２２が水中モータＭＯにより高速回転してパイプ３内の水Ｗを吸引する。このとき、水Ｗは金網体３０の外周壁に巻き掛けた目数が４０〜８０メッシュの金網６０により濾過され、砂礫や汚泥等が金網６０の表面に堆積される。
【００４１】
上記金網体３０を通過した水Ｗは、水中ポンプ２２により揚水管２４を介して地上の吐出管２８より吐出される。
【００４２】
上記金網６０が砂礫等の堆積で目詰まりを起こした状態に至ると、安全装置４０が作動する。すなわち、図４に示すように、水中ポンプ２２の吸引作用で金網体３０内の負圧により弁体４６が上昇し、開口部３０Ｂを開口して深井戸２内の水Ｗを筒体３３内に引き込み水中ポンプ２２に水を供給する。これにより、深井戸２内の水Ｗがいわゆるバイパス回路を介して送られるので、水中ポンプ２２の水中モータの焼損と吸い込み能力が低下することを防止する。
【００４３】
同時に、上記安全装置４０に備えられたセンサ５０，５６が弁体４６の上昇を検出し、図５と図６に示すように、有接点スイッチＬＳ又は近接スイッチＭＳが閉路となる。
【００４４】
これで、センサ５０，５６の閉路信号Ｅが発生し、配線Ｌを介して上記水中モータＭＯを駆動している電気制御部７０の駆動停止回路７２を遮断して水中モータＭＯを停止する  また、警報回路７４を閉路して異常信号Ａを出し、使用者に目詰まり等の発生を告知する。
【００４５】
従って、金網体３０の目詰まり状態とそのクリーニング時期を告知できるから、水中ポンプ２２や水中モータＭＯを損傷させることなく、安全に深井戸水Ｗの汲み上げを行うことが可能である。
【００４６】
本実施の形態である深井戸水中ポンプ１によると、下記のような効果を奏することができる。まず、深井戸水中ポンプの運転時に、深井戸水中ポンプへの砂礫や汚泥等の異物吸い込みを防止でき、長期にわたって健全性を維持できる。しかも、金網体３０が目詰まりを起こし、水中ポンプの吸い込み能力が低下すると安全装置４０が作動し開口部が開口して水が供給され水中モータの焼損を未然に防止できる。
【００４７】
上記安全装置４０は、上記金網体の開口部に設けられた受座部と、上記受座部に接近離反自在に取り付けられ受座部に着座して開口部を閉塞するとともに上記金網体の目詰まり発生時に金網体の負圧により離反して開口部を開放する弁体とからなるため、動作が水流の抵抗を受けることなく確実にでき、緊急時にも水中モータを冷却しつつ水中ポンプに水を供給できる。
【００４８】
また、上記安全装置４０に上記弁体の離反で突き出される検知棒と、検知棒の突き出しを検出するセンサ５０，５６を備えているため、水中モータを緊急停止したり、水中モータの焼損防止と目詰まりをタイミング良く地上部に告知できる。
【００４９】
また、センサ５０，５６を検知棒に設けた可動接点と２つの固定接点からなる有接点スイッチとしたもの又は検知棒に設けた可動マグネットと近接スイッチとからなるものとした場合には、水中において弁体の離反を確実に感知することができる。
【００５０】
上記センサ５０，５６が感知した閉路信号により上記水中モータの駆動を遮断して水中モータを停止し、または警報回路を閉路して目詰まりを告知するため、センサの閉路信号に基づいて水中モータの電気駆動回路を遮断して水中モータを緊急停止させることができ、または警報等により目詰まりの発生をいち早く知らせることが可能となる。
【００５１】
また、上記金網体３０は、筒体を上記水中ポンプと上記揚水管との接続フランジに吊設するとともに該筒体の壁面に小孔が開けられ、更に該外周面に金網を巻き掛けたものであるため、目詰まりを起こしにくい構造であり、長期にわたって使用できるとともに、一旦目詰まりを起こした時は、地上に引き揚げて高圧水洗浄等により簡単に洗浄作業ができ、直ぐに再使用することができる。
【００５２】
上記筒体３３の小孔は孔径を８〜１２ｍｍとし、上記金網は目数が４０〜８０メッシュのものを使用したため、効率の良い砂礫等の捕捉作業ができ、除去作業も容易にできる。
【産業上の利用可能性】
【００５３】
本発明の深井戸水中ポンプは、深井戸水中ポンプの運転時に、長期にわたって砂礫や汚泥等の異物が水中ポンプに浸入することを防止し、一定時間が経過しストレーナが目詰まりを起こし、水中ポンプの吸い込み能力が低下しても水中モータの焼損を未然に防止することができるようにする場合に利用可能性を有する。
【符号の説明】
【００５４】
１        深井戸水中ポンプ
２          深井戸
３          壁面
２０        吸込口
２２        水中ポンプ
２２Ａ      上端部
２２Ｂ      接続フランジ
２４        揚水管
２４Ａ      上端部
２４Ｂ      接続フランジ
２４Ｃ      下端部
２４Ｄ      接続フランジ
２６        中継フランジ
２６Ｂ      接続フランジ
２８        吐出管
３０        金網体
３０Ｂ      下端開口部
３２        吊設フランジ
３３        筒体
３３Ａ      頂端
３３Ｃ      円筒壁面
４０        安全装置
４２        短管
４４        受座環
４４Ａ      円錐面
４６        弁体
４６Ａ      円錐面
４６Ｂ      上面
４８        軸部
４９        円筒支持体
４９Ａ      軸受部
４９Ｂ      連結部
４９Ｃ      受座孔
５０        センサ
５２        検知棒
５４        可動接点
５６        センサ
６０        金網
６２        固定バー
７０        電気制御部
７２        駆動停止回路
７４        警報回路
Ａ          異常信号
ａ，ｂ      固定接点
Ｂ１，Ｂ２  締結ボルト
Ｂ３        ビス孔
Ｌ          配線
ＬＳ        有接点スイッチ
ｈ１〜ｈ３  通孔
ｈ４、ｈ５  孔
Ｅ          センサ信号
Ｎ１〜Ｎ３  ナット
Ｍ          可動マグネット
ＭＯ        水中モータ
ＭＳ        近接スイッチ
Ｐ          操作盤
Ｓ          ストレーナ
ＳＳ        起動スイッチ
Ｘ          隙間
Ｗ          水
【図１】
2015096702.tif 000003
【図２】
2015096702.tif 000004
【図３】
2015096702.tif 000005
【図４】
2015096702.tif 000006
【図５】
2015096702.tif 000007
【図６】
2015096702.tif 000008
【図７】
2015096702.tif 000009
【図８】
2015096702.tif 000010